(57)【特許請求の範囲】
【請求項１】
複数のコンテンツを受信可能なコンテンツ受信装置に用いられるリモコン装置であって、
利用者を特定して認証する利用者認証抽出手段と、
前記利用者認証抽出手段により認証された利用者に関する情報である利用者情報を外部のレコメンドサーバに送信し、かつ、コンテンツに関する情報であって前記レコメンドサーバから前記利用者情報に応じて送られたコンテンツ情報を受信する通信手段と、
前記通信手段により得られた前記コンテンツ情報を表示する表示手段と、
前記表示手段に表示された前記コンテンツ情報の中から利用者が選択するコンテンツを操作入力可能な操作手段と、
前記操作手段により操作入力されて選択された前記コンテンツに応じてリモコン信号を外部の前記コンテンツ受信装置に送信するリモコン信号送信手段と、
利用者毎の利用状況を収集し、前記通信手段を介して前記利用状況を前記レコメンドサーバに送信する利用状況収集手段と、
を備え、
前記利用状況収集手段は、
利用者が視聴したコンテンツに関して利用者が外部に対してコメントを発信した履歴を収集するコメント発信履歴収集手段を含むこと、
を特徴とするリモコン装置。
【請求項２】
請求項１に記載のリモコン装置において、
前記通信手段は、無線通信回線を介して外部と通信すること、
を特徴とするリモコン装置。
【請求項３】
請求項１に記載のリモコン装置において、
前記通信手段は、前記コンテンツ受信装置を介して外部と通信すること、
を特徴とするリモコン装置。
【請求項４】
請求項１から請求項３までのいずれか１項に記載のリモコン装置において、
利用状況収集手段は、
前記操作手段により操作された履歴を収集する操作履歴収集手段と、
利用者が視聴したコンテンツの履歴を収集する視聴履歴収集手段と、
利用者が視聴したコンテンツに関して利用者が評価と評価の投票との少なくとも一方を行った履歴を収集するコンテンツ評価投票履歴収集手段と、
のうちの少なくとも１つを含むこと、
を特徴とするリモコン装置。
【請求項５】
請求項１から請求項４までのいずれか１項に記載のリモコン装置において、
前記操作手段は、前記表示手段を利用したタッチパネルを含むこと、
を特徴とするリモコン装置。
【請求項６】
リモコン装置と、
コンテンツの配信とコンテンツの放送との少なくとも一方を行うコンテンツ発信装置と、
前記コンテンツ発信装置が配信又は放送するコンテンツを受信可能、かつ、前記リモコン装置が発するリモコン信号を受信可能なコンテンツ受信装置と、
レコメンドサーバと、
を含むコンテンツ視聴システムであって、
前記リモコン装置は、
利用者を特定して認証する利用者認証抽出手段と、
前記利用者認証抽出手段により認証された利用者に関する情報である利用者情報を前記レコメンドサーバに送信し、かつ、コンテンツに関する情報であって前記レコメンドサーバから前記利用者情報に応じて送られたコンテンツ情報を受信する通信手段と、
前記通信手段により得られた前記コンテンツ情報を表示する表示手段と、
前記表示手段に表示された前記コンテンツ情報の中から利用者が選択するコンテンツを操作入力可能な操作手段と、
前記操作手段により操作入力されて選択された前記コンテンツに応じてリモコン信号を前記コンテンツ受信装置に送信するリモコン信号送信手段と、
利用者毎の利用状況を収集し、前記通信手段を介して前記利用状況を前記レコメンドサーバに送信する利用状況収集手段と、
を備え、
さらに、前記利用状況収集手段は、
利用者が視聴したコンテンツに関して利用者が外部に対してコメントを発信した履歴を収集するコメント発信履歴収集手段を含み、
前記レコメンドサーバは、前記リモコン装置から取得した利用者毎の前記利用状況に応じて、前記コンテンツ情報を生成し、前記利用者情報に応じて前記コンテンツ情報を前記リモコン装置へ送信すること、
を特徴とするコンテンツ視聴システム。
【請求項７】
リモコン装置と、
コンテンツの配信とコンテンツの放送との少なくとも一方を行うコンテンツ発信装置と、
前記コンテンツ発信装置が配信又は放送するコンテンツを受信可能、かつ、前記リモコン装置が発するリモコン信号を受信可能なコンテンツ受信装置と、
レコメンドサーバと、
を含むコンテンツ視聴システムにおけるリモコン装置の制御方法であって、
前記リモコン装置は、
利用者を特定して認証する利用者認証抽出ステップと、
前記利用者認証抽出ステップにより認証された利用者に関する情報である利用者情報を前記レコメンドサーバに送信する利用者情報送信ステップと、
コンテンツに関する情報であって前記レコメンドサーバから前記利用者情報に応じて送られたコンテンツ情報を受信するコンテンツ情報受信ステップと、
前記コンテンツ情報受信ステップにより得られた前記コンテンツ情報を表示する表示ステップと、
前記表示ステップにより表示された前記コンテンツ情報の中から利用者が選択するコンテンツを操作入力可能な操作ステップと、
前記操作ステップにより操作入力されて選択された前記コンテンツに応じてリモコン信号を前記コンテンツ受信装置に送信するリモコン信号送信ステップと、
利用者毎の利用状況を収集し、前記利用状況を前記レコメンドサーバに送信する利用状況収集ステップと、
を実行し、
さらに、前記利用状況収集ステップでは、
利用者が視聴したコンテンツに関して利用者が外部に対してコメントを発信した履歴を収集するコメント発信履歴収集を実行すること、
を特徴とするリモコン装置の制御方法。
【請求項８】
リモコン装置と、
コンテンツの配信とコンテンツの放送との少なくとも一方を行うコンテンツ発信装置と、
前記コンテンツ発信装置が配信又は放送するコンテンツを受信可能、かつ、前記リモコン装置が発するリモコン信号を受信可能なコンテンツ受信装置と、
レコメンドサーバと、
を含むコンテンツ視聴システムにおけるリモコン装置の制御プログラムであって、
前記リモコン装置のコンピュータに、
利用者を特定して認証する利用者認証抽出ステップと、
前記利用者認証抽出ステップにより認証された利用者に関する情報である利用者情報を前記レコメンドサーバに送信する利用者情報送信ステップと、
コンテンツに関する情報であって前記レコメンドサーバから前記利用者情報に応じて送られたコンテンツ情報を受信するコンテンツ情報受信ステップと、
前記コンテンツ情報受信ステップにより得られた前記コンテンツ情報を表示する表示ステップと、
前記表示ステップにより表示された前記コンテンツ情報の中から利用者が選択するコンテンツを操作入力可能な操作ステップと、
前記操作ステップにより操作入力されて選択された前記コンテンツに応じてリモコン信号を前記コンテンツ受信装置に送信するリモコン信号送信ステップと、
利用者毎の利用状況を収集し、前記利用状況を前記レコメンドサーバに送信する利用状況収集ステップと、
を実行させるためのリモコン装置の制御プログラムであり、
さらに、前記利用状況収集ステップでは、
利用者が視聴したコンテンツに関して利用者が外部に対してコメントを発信した履歴を収集するコメント発信履歴収集を実行させるためのリモコン装置の制御プログラム。
【発明の詳細な説明】
【技術分野】
【０００１】
本発明は、映像番組等を受信可能なテレビ受像機、又は、ＩＰＴＶ用のセットトップボックス、又は、ケーブルテレビ用のセットトップボックス等に用いられるリモコン装置、及び、このリモコン装置を含むコンテンツ視聴システム、リモコン装置の制御方法、リモコン装置の制御プログラムに関するものである。
【背景技術】
【０００２】
テレビ受像機や、ＩＰＴＶ（Internet Protocol TeleVision）用のセットトップボックス（ＳＴＢ）、又は、ケーブルテレビ用のＳＴＢ等では、ＥＰＧ（Electronic Program Guide：電子番組ガイド）が利用可能なものが普及している。その際、ＥＰＧをテレビ受像機に表示しても、近年のＩＰＴＶやケーブルテレビ等では、番組数が膨大な数となり、全てを番組表に一覧表示することができず、画面のスクロールを繰り返したり検索キーワードを入力したりする必要があり、利用者が所望する番組を探すことが容易ではない場合が多かった。そのため、利用者が過去にテレビ受像機等のリモコンで選択した番組の視聴時刻（例えば、特許文献１）や嗜好状況（例えば、特許文献２）の分析結果に応じた番組表をテレビ受信機に表示している。そして、利用者は、横軸をチャンネル、縦軸を放送時刻として利用者毎に編集された番組表から所望の番組を選択し、視聴したり録画予約を行ったりする。
【０００３】
一方、携帯電話端末に設けられた赤外線発光素子を使い、テレビ受像機等のリモコンとして携帯電話端末を利用可能とする製品が既に市販されており、これに関する提案も行われている（例えば、特許文献３）。携帯電話端末をテレビ受像機等のリモコンとして利用する場合には、携帯電話の通信回線を利用して番組情報を取得して、番組表を携帯電話端末の表示画面上に表示する。そして、その表示された番組表から所望の番組を選択することにより、該当する番組の視聴や予約を行うためのリモコン信号が携帯電話端末から出力される。
【先行技術文献】
【特許文献】
【０００４】
【特許文献１】特許４１５９７４４号公報
【特許文献２】特開２００８−００５２２５号公報
【特許文献３】特開２００５−１５０８３１号公報
【発明の概要】
【発明が解決しようとする課題】
【０００５】
しかし、近年のテレビ視聴形態の特徴の一つである「ながら視聴」のように何かをしながらテレビ視聴している際、特許文献１が想定しているような視聴時刻を気にする場合は少なく、視聴時刻をメインにした番組表示の組み換えには所望の番組を探す操作の煩雑さはあまり変わらない場合もある。また、視聴者はチャンネルを選択したいのではなく、所望の番組を選択したいのであって、特許文献２のようにチャンネル軸と時間軸に沿った番組表にこだわる必要性がないのが現状である。
【０００６】
さらに、特許文献３のように携帯電話端末を利用する場合、リモコン操作する対象となる受信装置（テレビ受像機やＳＴＢ等）と携帯電話端末上で動作するアプリケーションソフトウェア（以下、携帯アプリ）との間でリモコンの指向性確認等の事前設定が必要であり、利用しにくかった。さらにまた、特許文献３のように携帯電話端末上で全番組のサムネイル表示を行ない、手元で所望の番組を選択できるのはよいが、そのサムネイル表示を実現するために、テレビ受信機能を内蔵した携帯電話端末を想定しており、仮にサムネイル表示とは言え、携帯電話端末上で全ての番組を一覧表示するには見づらい。加えて、利用者にとっては、携帯電話端末のリモコン用携帯アプリを起動してリモコン装置として利用するよりも、受信装置に付属のリモコン装置を利用する方が簡便であった。
【０００７】
これら放送に加えて、ＶＯＤ（Video On Demand）では、いわゆるコンテンツのロングテール化が進み、視聴される可能性の低いコンテンツも数多く用意されており、視聴可能なコンテンツの数が膨大になっている。したがって、従来のいずれの手法を用いた場合であっても、利用者が所望するコンテンツを探すことが困難であった。
【０００８】
本発明の課題は、利用者が所望のコンテンツを容易に選択できるリモコン装置、コンテンツ視聴システム、リモコン装置の制御方法、リモコン装置の制御プログラムを提供することである。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明は、複数のコンテンツを受信可能なコンテンツ受信装置（２００）に用いられるリモコン装置（３００）であって、利用者を特定して認証する利用者認証抽出手段（３０１）と、前記利用者認証抽出手段により認証された利用者に関する情報である利用者情報を外部のレコメンドサーバ（６００）に送信し、かつ、コンテンツに関する情報であって前記レコメンドサーバから前記利用者情報に応じて送られたコンテンツ情報を受信する通信手段（３０２）と、前記通信手段により得られた前記コンテンツ情報を表示する表示手段（３０３）と、前記表示手段に表示された前記コンテンツ情報の中から利用者が選択するコンテンツを操作入力可能な操作手段（３０３）と、前記操作手段により操作入力されて選択された前記コンテンツに応じてリモコン信号を外部の前記コンテンツ受信装置に送信するリモコン信号送信手段（３０４）と、利用者毎の利用状況を収集し、前記通信手段を介して前記利用状況を前記レコメンドサーバに送信する利用状況収集手段（３０７）とを備え、前記利用状況収集手段は、利用者が視聴したコンテンツに関して利用者が外部に対してコメントを発信した履歴を収集するコメント発信履歴収集手段（３０７ｄ）を含むこと、を特徴とするリモコン装置を提案している。
【００１１】
この発明によれば、利用者認証抽出手段は、利用者を特定して認証する。通信手段は、利用者認証抽出手段により認証された利用者に関する情報である利用者情報を外部のレコメンドサーバに送信し、かつ、コンテンツに関する情報であってレコメンドサーバから利用者情報に応じて送られたコンテンツ情報を受信する。表示手段は、通信手段により得られたコンテンツ情報を表示する。操作手段は、表示手段に表示されたコンテンツ情報の中から利用者が選択するコンテンツを操作入力可能にする。リモコン信号送信手段は、操作手段により操作入力されて選択されたコンテンツに応じてリモコン信号を外部のコンテンツ受信装置に送信する。利用状況収集手段は、利用者毎の利用状況を収集し、通信手段を介して利用状況をレコメンドサーバに送信する。利用状況収集手段は、利用者が視聴したコンテンツに関して利用者が外部に対してコメントを発信した履歴を収集するコメント発信履歴収集手段（３０７ｄ）を含む。したがって、利用者情報を効率よく収集でき、利用者の嗜好に近い利用者にとって有益なコンテンツ情報を提供できる。よって、利用者はテレビ受像機を見なくても、手元のリモコン装置にて、所望のコンテンツを容易に選択できる。
【００１２】
（２）本発明は、（１）に記載のリモコン装置において、前記通信手段（３０２）は、無線通信回線を介して外部と通信することを特徴とするリモコン装置（３００）を提案している。
【００１３】
この発明によれば、通信手段は、無線通信回線を介して外部と通信する。したがって、コンテンツ受信装置が外部に対して信号を送信しない受信専用の機器であっても、利用者情報を外部に送ることができる。
【００１４】
（３）本発明は、（１）に記載のリモコン装置において、前記通信手段は、前記コンテンツ受信装置を介して外部と通信することを特徴とするリモコン装置を提案している。
【００１５】
この発明によれば、通信手段は、コンテンツ受信装置を介して外部と通信する。したがって、リモコン装置に設ける通信手段を簡易な形態とすることができる。
【００１６】
（４）本発明は、（１）から（３）までのいずれかに記載のリモコン装置において、利用状況収集手段（３０７）は、前記操作手段（３０３）により操作された履歴を収集する操作履歴収集手段（３０７ａ）と、利用者が視聴したコンテンツの履歴を収集する視聴履歴収集手段（３０７ｂ）と、利用者が視聴したコンテンツに関して利用者が評価と評価の投票との少なくとも一方を行った履歴を収集するコンテンツ評価投票履歴収集手段とのうちの少なくとも１つを含むことを特徴とするリモコン装置（３００）を提案している。
【００１７】
この発明によれば、利用状況収集手段は、操作手段により操作された履歴を収集する操作履歴収集手段と、利用者が視聴したコンテンツの履歴を収集する視聴履歴収集手段と、利用者が視聴したコンテンツに関して利用者が評価と評価の投票との少なくとも一方を行った履歴を収集するコンテンツ評価投票履歴収集手段とのうちの少なくとも１つを含む。したがって、利用者の利用状況を詳細かつ効率よく収集でき、利用者にとってより有益なコンテンツ情報を提供できる。
【００１８】
（５）本発明は、（１）から（４）までのいずれかに記載のリモコン装置において、前記操作手段（３０３）は、前記表示手段を利用したタッチパネルを含むことを特徴とするリモコン装置（３００）を提案している。
【００１９】
この発明によれば、操作手段は、表示手段を利用したタッチパネルを含む。したがって、利用者はテレビ受像機を見なくても、手元のリモコン装置にてコンテンツの選択操作等を簡単に行うことができ、利用者が所望のコンテンツを容易に選択できる。
【００２０】
（６）本発明は、リモコン装置（３００）と、コンテンツの配信とコンテンツの放送との少なくとも一方を行うコンテンツ発信装置（５００）と、前記コンテンツ発信装置が配信又は放送するコンテンツを受信可能、かつ、前記リモコン装置が発するリモコン信号を受信可能なコンテンツ受信装置（２００）と、レコメンドサーバ（６００）と、を含むコンテンツ視聴システムであって、前記リモコン装置は、利用者を特定して認証する利用者認証抽出手段（３０１）と、前記利用者認証抽出手段により認証された利用者に関する情報である利用者情報を前記レコメンドサーバに送信し、かつ、コンテンツに関する情報であって前記レコメンドサーバから前記利用者情報に応じて送られたコンテンツ情報を受信する通信手段（３０２）と、前記通信手段により得られた前記コンテンツ情報を表示する表示手段（３０３）と、前記表示手段に表示された前記コンテンツ情報の中から利用者が選択するコンテンツを操作入力可能な操作手段（３０３）と、前記操作手段により操作入力されて選択された前記コンテンツに応じてリモコン信号を前記コンテンツ受信装置に送信するリモコン信号送信手段（３０４）と、利用者毎の利用状況を収集し、前記通信手段を介して前記利用状況を前記レコメンドサーバに送信する利用状況収集手段（３０７）とを備え、さらに、前記利用状況収集手段は、利用者が視聴したコンテンツに関して利用者が外部に対してコメントを発信した履歴を収集するコメント発信履歴収集手段（３０７ｄ）を含み、前記レコメンドサーバは、前記リモコン装置から取得した利用者毎の前記利用状況に応じて、前記コンテンツ情報を生成し、前記利用者情報に応じて前記コンテンツ情報を前記リモコン装置へ送信することを特徴とするコンテンツ視聴システムを提案している。
【００２１】
この発明によれば、利用者認証抽出手段は、利用者を特定して認証する。通信手段は、利用者認証抽出手段により認証された利用者に関する情報である利用者情報をレコメンドサーバに送信し、かつ、コンテンツに関する情報であってレコメンドサーバから利用者情報に応じて送られたコンテンツ情報を受信する。表示手段は、通信手段により得られたコンテンツ情報を表示する。操作手段は、表示手段に表示されたコンテンツ情報の中から利用者が選択するコンテンツを操作入力可能にする。リモコン信号送信手段は、操作手段により操作入力されて選択されたコンテンツに応じてリモコン信号を前記コンテンツ受信装置に送信する。利用状況収集手段は、利用者毎の利用状況を収集し、通信手段を介して利用状況をレコメンドサーバに送信する。
さらに、利用状況収集手段は、利用者が視聴したコンテンツに関して利用者が外部に対してコメントを発信した履歴を収集するコメント発信履歴収集手段を含む。レコメンドサーバは、リモコン装置から取得した利用者毎の利用状況に応じて、コンテンツ情報を生成し、利用者情報に応じてコンテンツ情報をリモコン装置へ送信する。したがって、利用者情報を効率よく収集でき、利用者の嗜好に近い利用者にとって有益なコンテンツ情報を提供できる。よって、利用者はテレビ受像機を見なくても、手元のリモコン装置にて、所望のコンテンツを容易に選択できる。
【００２２】
（７）本発明は、リモコン装置（３００）と、コンテンツの配信とコンテンツの放送との少なくとも一方を行うコンテンツ発信装置（５００）と、前記コンテンツ発信装置が配信又は放送するコンテンツを受信可能、かつ、前記リモコン装置が発するリモコン信号を受信可能なコンテンツ受信装置（２００）と、レコメンドサーバ（６００）と、を含むコンテンツ視聴システムにおけるリモコン装置の制御方法であって、前記リモコン装置は、利用者を特定して認証する利用者認証抽出ステップ（Ｓ３０４，Ｓ６０２）と、前記利用者認証抽出ステップにより認証された利用者に関する情報である利用者情報を前記レコメンドサーバに送信する利用者情報送信ステップ（Ｓ３０４、Ｓ６０２）と、コンテンツに関する情報であって前記レコメンドサーバから前記利用者情報に応じて送られたコンテンツ情報を受信するコンテンツ情報受信ステップ（Ｓ６０９）と、前記コンテンツ情報受信ステップにより得られた前記コンテンツ情報を表示する表示ステップ（Ｓ６１０）と、前記表示ステップにより表示された前記コンテンツ情報の中から利用者が選択するコンテンツを操作入力可能な操作ステップ（Ｓ４０１，Ｓ７０１）と、前記操作ステップにより操作入力されて選択された前記コンテンツに応じてリモコン信号を前記コンテンツ受信装置に送信するリモコン信号送信ステップ（Ｓ４０４）と、利用者毎の利用状況を収集し、前記利用状況を前記レコメンドサーバに送信する利用状況収集ステップ（Ｓ４０２，Ｓ７０２、Ｓ８０２、Ｓ８０３、Ｓ９０２，Ｓ９０４，Ｓ１１０２，Ｓ１１０４，Ｓ１２０２）と、を実行し、さらに、前記利用状況収集ステップでは、利用者が視聴したコンテンツに関して利用者が外部に対してコメントを発信した履歴を収集するコメント発信履歴収集（Ｓ１１０２，Ｓ１１０４）を実行すること、を特徴とするリモコン装置の制御方法を提案している。
【００２３】
この発明によれば、利用者認証抽出ステップでは、利用者を特定して認証する。利用者情報送信ステップでは、利用者認証抽出ステップにより認証された利用者に関する情報である利用者情報をレコメンドサーバに送信する。コンテンツ情報受信ステップでは、コンテンツに関する情報であってレコメンドサーバから利用者情報に応じて送られたコンテンツ情報を受信する。表示ステップでは、コンテンツ情報受信ステップにより得られたコンテンツ情報を表示する。操作ステップでは、表示ステップにより表示されたコンテンツ情報の中から利用者が選択するコンテンツを操作入力可能にする。リモコン信号送信ステップでは、操作ステップにより操作入力されて選択されたコンテンツに応じてリモコン信号をコンテンツ受信装置に送信する。利用状況収集ステップでは、利用者毎の利用状況を収集し、利用状況をレコメンドサーバに送信する。さらに、利用状況収集ステップでは、利用者が視聴したコンテンツに関して利用者が外部に対してコメントを発信した履歴を収集するコメント発信履歴収集を実行する。したがって、利用者情報を効率よく収集でき、利用者の嗜好に近い利用者にとって有益なコンテンツ情報を提供できる。よって、利用者はテレビ受像機を見なくても、手元のリモコン装置にて、所望のコンテンツを容易に選択できる。
【００２４】
（８）本発明は、リモコン装置（３００）と、コンテンツの配信とコンテンツの放送との少なくとも一方を行うコンテンツ発信装置（５００）と、前記コンテンツ発信装置が配信又は放送するコンテンツを受信可能、かつ、前記リモコン装置が発するリモコン信号を受信可能なコンテンツ受信装置（２００）と、レコメンドサーバ（６００）とを含むコンテンツ視聴システムにおけるリモコン装置の制御プログラムであって、前記リモコン装置のコンピュータに、利用者を特定して認証する利用者認証抽出ステップ（Ｓ３０４，Ｓ６０２）と、前記利用者認証抽出ステップにより認証された利用者に関する情報である利用者情報を前記レコメンドサーバに送信する利用者情報送信ステップ（Ｓ３０４、Ｓ６０２）と、コンテンツに関する情報であって前記レコメンドサーバから前記利用者情報に応じて送られたコンテンツ情報を受信するコンテンツ情報受信ステップ（Ｓ６０９）と、前記コンテンツ情報受信ステップにより得られた前記コンテンツ情報を表示する表示ステップ（Ｓ６１０）と、前記表示ステップにより表示された前記コンテンツ情報の中から利用者が選択するコンテンツを操作入力可能な操作ステップ（Ｓ４０１，Ｓ７０１）と、前記操作ステップにより操作入力されて選択された前記コンテンツに応じてリモコン信号を前記コンテンツ受信装置に送信するリモコン信号送信ステップ（Ｓ４０４）と、利用者毎の利用状況を収集し、前記利用状況を前記レコメンドサーバに送信する利用状況収集ステップ（Ｓ４０２，Ｓ７０２、Ｓ８０２、Ｓ８０３、Ｓ９０２，Ｓ９０４，Ｓ１１０２，Ｓ１１０４，Ｓ１２０２）と、を実行させるためのリモコン装置の制御プログラムであり、さらに、前記利用状況収集ステップでは、利用者が視聴したコンテンツに関して利用者が外部に対してコメントを発信した履歴を収集するコメント発信履歴収集（Ｓ１１０２，Ｓ１１０４）を実行させるためのリモコン装置の制御プログラムを提案している。
【００２５】
この発明によれば、利用者認証抽出ステップでは、利用者を特定して認証する。利用者情報送信ステップでは、利用者認証抽出ステップにより認証された利用者に関する情報である利用者情報をレコメンドサーバに送信する。コンテンツ情報受信ステップでは、コンテンツに関する情報であってレコメンドサーバから利用者情報に応じて送られたコンテンツ情報を受信する。表示ステップでは、コンテンツ情報受信ステップにより得られたコンテンツ情報を表示する。操作ステップでは、表示ステップにより表示されたコンテンツ情報の中から利用者が選択するコンテンツを操作入力可能にする。リモコン信号送信ステップでは、操作ステップにより操作入力されて選択されたコンテンツに応じてリモコン信号をコンテンツ受信装置に送信する。利用状況収集ステップでは、利用者毎の利用状況を収集し、利用状況をレコメンドサーバに送信する。さらに、利用状況収集ステップでは、利用者が視聴したコンテンツに関して利用者が外部に対してコメントを発信した履歴を収集するコメント発信履歴収集を実行させる。したがって、利用者情報を効率よく収集でき、利用者の嗜好に近い利用者にとって有益なコンテンツ情報を提供できる。よって、利用者はテレビ受像機を見なくても、手元のリモコン装置にて、所望のコンテンツを容易に選択できる。
【発明の効果】
【００２６】
本発明によれば、利用者はテレビ受像機を見なくても、手元のリモコン装置にて、利用者毎にレコメンドされたコンテンツ情報（パーソナライズドコンテンツ）の中から所望のコンテンツを容易に選択できるという効果がある。
【図面の簡単な説明】
【００２７】
【図１】本発明によるリモコン装置を含むコンテンツ視聴システムの実施形態を示すブロック図である。
【図２】リモコン装置３００の構成を示すブロック図である。
【図３】リモコン装置３００の外観を示す図である。
【図４】テレビ受像機１００、及び、ＳＴＢ２００の電源オンと、テレビ画面上での多チャネル放送表示と通常ＥＰＧ表示を示すフローチャートである。
【図５】利用者認証無しのときの、リモコン装置３００の電源オンと、リモコン装置３００の画面上に十字キーと数字キーを表示する動作とを示すフローチャートである。
【図６】リモコン装置３００の画面上での利用者認証の動作を示すフローチャートである。
【図７】利用者認証がある場合の、リモコン装置３００の画面上で多チャネル放送の番組が選択されたときの動作を示すフローチャートである。
【図８】利用者認証が無い場合の、リモコン装置３００の画面上で多チャネル放送の番組が選択されたときの動作を示すフローチャートである。
【図９】リモコン装置３００の画面上に利用者毎にレコメンドされたコンテンツ情報（パーソナライズドコンテンツ）を表示する動作を示すフローチャートである。
【図１０】リモコン装置３００の画面上でのプロモーションビデオ又は関連情報等の番組閲覧の動作を示すフローチャートである。
【図１１】リモコン装置３００の画面上でのコンテンツの選択と購入、及び、テレビ受像機１００の画面上でのコンテンツ表示の動作を示すフローチャートである。
【図１２】リモコン装置３００の画面上での番組評価と投票の動作を示すフローチャートである。
【図１３】リモコン装置３００の画面上でのユーザプロファイル更新の動作を示すフローチャートである。
【図１４】リモコン装置３００の画面上でのソーシャルネットワークによるコメント発信の動作を示すフローチャートである。
【図１５】リモコン装置３００の画面上での多チャネル放送の番組録画予約の動作を示すフローチャートである。
【発明を実施するための形態】
【００２８】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００２９】
（実施形態）
図１は、本発明によるリモコン装置を含むコンテンツ視聴システムの実施形態を示すブロック図である。
本実施形態のコンテンツ視聴システムは、テレビ受像機１００と、ＳＴＢ２００と、リモコン装置３００と、無線基地局４００と、コンテンツ配信サーバ５００と、レコメンドサーバ６００と、認証課金サーバ７００と、外部サーバ８００とを備えている。なお、図１において、テレビ受像機１００と、ＳＴＢ２００と、リモコン装置３００とを囲む破線は、利用者の宅内に設けられていることを示すものである。
【００３０】
テレビ受像機１００は、地上デジタル放送に対応したコンテンツ受信装置であり、ＲＦ信号送受信部１０１と、ディスプレイ部１０２とを備えている。
ＲＦ信号送受信部１０１は、ＳＴＢ２００のＲＦ信号送受信部２０３と接続されており、コンテンツの送受信を行う。
ディスプレイ部１０２は、テレビ受像機１００が有する不図示の受信部が放送波を介して受信した映像や、ＲＦ信号送受信部１０１を介して受信した映像等を表示する液晶ディスプレイ装置等の表示部である。
【００３１】
ＳＴＢ２００は、映像／制御信号送受信部２０１と、コンテンツ録画部２０２と、ＲＦ信号送受信部２０３と、リモコン信号受信部２０４とを備えたコンテンツ受信装置である。
映像／制御信号送受信部２０１は、ブロードバンド回線やケーブルテレビ回線を介して映像信号や制御信号をコンテンツ配信サーバ５００との間で送受信する。
コンテンツ録画部２０２は、映像／制御信号送受信部２０１により得たコンテンツを録画するメモリやハードディスク装置である。
ＲＦ信号送受信部２０３は、テレビ受像機１００のＲＦ信号送受信部１０１と接続されており、コンテンツの送受信を行う。
リモコン信号受信部２０４は、リモコン装置３００から送られたリモコン信号を受信する。なお、本実施形態では、リモコン信号受信部２０４は、赤外線のリモコン信号を受信するが、電波を使った近距離通信等を用いるものであってもよい。
本実施形態のテレビ受像機１００は、単体でも地上デジタル放送等の放送波を受信して映像を表示できるが、以下では、ＳＴＢ２００から得たコンテンツ等を表示するものとして説明する。
【００３２】
リモコン装置３００は、ＳＴＢ２００をリモートコントロールするリモコン信号を送信する装置である。
図２は、リモコン装置３００の構成を示すブロック図である。
図３は、リモコン装置３００の外観を示す図である。
本実施形態のリモコン装置３００は、利用者認証抽出部３０１と、通信部３０２と、表示操作部３０３と、リモコン信号送信部３０４と、コンテンツ評価投票部３０５と、コメント発信部３０６と、利用状況収集部３０７とを備えている。
【００３３】
利用者認証抽出部３０１は、リモコン装置３００を利用する利用者を具体的に誰であるのか特定して、認証を行う。例えば、両親と子供２人の家族でリモコン装置３００を利用する場合、リモコン装置３００を操作している利用者が父親であるのか、母親であるのか、又は、２人の子供のうちのどちらであるのかを、具体的に特定して認証する。リモコン装置３００には、利用者の指紋を読み取る読取り部３０１ａが表示操作部３０３の下方（図３中における下方）に設けられている。利用者認証抽出部３０１は、読取り部３０１ａにより読み取った指紋を用いて指紋認証を行うことにより、利用者個人を特定する。
なお、利用者認証抽出部３０１は、予め利用者個人を特定する情報である指紋を登録しておく。
【００３４】
通信部３０２は、利用者認証抽出部３０１により認証された利用者に関する情報である利用者情報を外部のレコメンドサーバ６００に送信する。ここで、利用者情報とは、例えば、利用者個人にユニークに採番された固有番号等である。また、通信部３０２は、レコメンドサーバ６００から利用者情報に応じて送られたコンテンツ情報を受信する。
ここで、コンテンツ情報とは、後述のコンテンツ配信サーバ５００が配信するコンテンツに関する情報である。具体的には、利用者毎にレコメンドされた情報である。レコメンドされた情報とは、利用者に関連が高そうな情報や、利用者が関心を持ちそうな情報を選択して勧めるための情報等である。
例えば、利用者が父親であると特定されて認証された場合、その父親がよく視聴しているコンテンツが野球中継であれば、野球に関連性の高いコンテンツや広告等をコンテンツ情報に含める。また、利用者が子供であると特定されて認証された場合、その子供がよく視聴しているコンテンツがアニメーション作品であれば、アニメーション作品に関連性の高いコンテンツや教育関連のコンテンツ及び情報等をコンテンツ情報に含める。
なお、コンテンツ情報には、レコメンドされたコンテンツに関する情報の他に、配信される全てのコンテンツに関する情報も付加してもよい。例えば、レコメンドされたお勧めの番組情報の他に、放送予定の番組全ての情報もコンテンツ情報に含めてもよい。その場合、どちらの情報を見るのかを利用者に選択してもらうようにするとよい。
通信部３０２とレコメンドサーバ６００との間の通信は、携帯電話サービス事業者が提供する無線通信回線を用いる。
【００３５】
表示操作部３０３は、通信手段により得られたコンテンツ情報を表示する表示手段として機能する。また、表示操作部３０３は、表示されたコンテンツ情報の中から利用者が選択するコンテンツを操作入力可能な操作手段としても機能する。具体的には、本実施形態では、タッチパネル入力機能を持つ液晶表示装置を設けている。図３には、利用者「Ａさん」に対してレコメンドされた情報として、３つのお勧めコンテンツが表示された例を示している。
【００３６】
リモコン信号送信部３０４は、表示操作部３０３により操作入力されて選択されたコンテンツに応じてリモコン信号を外部のＳＴＢ２００に送信する。上述したように、本実施形態では、リモコン信号送信部３０４は、赤外線のリモコン信号を送信する。
【００３７】
コンテンツ評価投票部３０５は、コンテンツを視聴した利用者が、その視聴済みのコンテンツに対する評価を投票する。具体的には、コンテンツ評価投票部３０５は、利用者がコンテンツを視聴し終わった段階で、評価を促す表示を表示操作部３０３により利用者に対して提示する。これに応じて利用者が評価を行った場合、その評価結果をレコメンドサーバ６００へ送る。評価は、例えば満足度の５段階評価等、簡単な評価であってもよいし、後述のコメント発信部３０６によるコメントと同様なコメントを含む評価であってもよい。
【００３８】
コメント発信部３０６は、コンテンツを視聴した利用者が、その視聴済みのコンテンツについてのコメントを外部サーバ８００に設けられたソーシャルネットワーク上やｗｅｂページ上等に対して発信する。
【００３９】
利用状況収集部３０７は、利用者毎の利用状況を収集し、収集した利用状況を通信部３０２によりレコメンドサーバ６００に送信する。ここで、利用状況とは、利用者がどのような操作を行ったのか、どのコンテンツを視聴したのか、そのコンテンツについてどの程度満足したのか等の情報である。本実施形態の利用状況収集部３０７は、操作履歴収集部３０７ａと、視聴履歴収集部３０７ｂと、コンテンツ評価投票履歴収集部３０７ｃと、コメント発信履歴収集部３０７ｄとを備えている。利用状況収集部３０７は、これら各収集部が収集した履歴を利用状況としてレコメンドサーバ６００に送信する。
なお、電波状況が悪い等の理由により通信部３０２が外部との通信を行えない場合には、利用状況収集部３０７は、通信が行えるようになるまで、収集した利用状況を不図示のメモリ等に記憶させて保持する。
【００４０】
操作履歴収集部３０７ａは、利用者が表示操作部３０３を用いて行った操作の履歴を収集する。ここで、操作の履歴には、例えば、利用者がコンテンツを検索したときの検索履歴や、コンテンツを視聴しなくともコンテンツ情報に含まれる情報を閲覧した閲覧履歴等を含む。
視聴履歴収集部３０７ｂは、利用者が視聴したコンテンツの視聴履歴を収集する。
コンテンツ評価投票履歴収集部３０７ｃは、コンテンツ評価投票部３０５により利用者が行ったコンテンツの評価履歴を収集する。
コメント発信履歴収集部３０７ｄは、コメント発信部３０６により利用者が行ったコンテンツについてのコメントの発信履歴を収集する。
【００４１】
無線基地局４００は、携帯電話サービス事業者が提供する無線通信回線の基地局であり、リモコン装置３００との間の無線通信を中継する。
【００４２】
コンテンツ配信サーバ５００は、ＩＰＴＶ事業者又はケーブルテレビ事業者が有するコンテンツ発信装置であり、コンテンツの配信を行う。本実施形態のコンテンツ配信サーバ５００は、フォーマット変換部５０１と、コンテンツ配信部５０２と、映像／制御信号送受信部５０３とを備えている。
フォーマット変換部５０１は、コンテンツを配信する配信経路に合わせてコンテンツのデータ形式を変換する。
コンテンツ配信部５０２は、映像／制御信号送受信部５０３を介してＳＴＢ２００から得た制御信号に基づいて、ＳＴＢ２００へコンテンツを配信する。
映像／制御信号送受信部５０３は、ブロードバンド回線やケーブルテレビ回線を介して映像信号や制御信号をＳＴＢ２００との間で送受信する。
なお、コンテンツ配信サーバ５００は、閉域網を介してレコメンドサーバ６００、認証課金サーバ７００、外部サーバ８００と接続されている。
【００４３】
レコメンドサーバ６００は、リモコン装置３００から得た利用者情報に基づいて、利用者毎にレコメンドしたコンテンツ情報を生成し、生成したコンテンツ情報をリモコン装置３００に送る。本実施形態のレコメンドサーバ６００は、コンテンツデータベース（以下、データベースをＤＢと表す）６０１と、広告／関連情報ＤＢ６０２と、ユーザプロファイルＤＢ６０３と、ＥＰＧＤＢ６０４と、配信コンテンツ生成部６０５と、レコメンドエンジン部６０６と、ユーザプロファイル収集部６０７とを備えている。
【００４４】
コンテンツＤＢ６０１は、配信するコンテンツを記憶すると共に、コンテンツに関する各種情報をコンテンツに関連付けて記憶する。ここで、コンテンツに関する各種情報とは、例えば、コンテンツのジャンルや、内容、キーワード、対象年齢等である。なお、コンテンツＤＢ６０１には、放送として配信されるコンテンツと、ＶＯＤとして配信されるコンテンツとが記憶されている。
【００４５】
広告／関連情報ＤＢ６０２は、コンテンツと共に配信する広告や関連情報を記憶すると共に、広告や関連情報に関する各種情報を広告や関連情報に関連付けて記憶する。ここで、広告や関連情報に関する各種情報とは、上記コンテンツに関する各種情報と同様に、広告や関連情報のジャンルや、内容、キーワード、対象年齢等である。また、関連情報とは、広告ではないが、利用者に伝えたい一般的な情報を指し、具体的な情報の内容としてはどのような情報であってもよい。
【００４６】
ユーザプロファイルＤＢ６０３は、後述のユーザプロファイル収集部６０７が収集した利用者毎のプロファイルを記憶する。
ＥＰＧＤＢ６０４は、コンテンツＤＢに記憶されているコンテンツのうち、放送として配信されるコンテンツのＥＰＧ（Electronic Program Guide：電子番組ガイド）に関する情報を記憶する。
配信コンテンツ生成部６０５は、コンテンツ配信サーバ５００が配信するコンテンツをレコメンドエンジン部６０６によりレコメンドされたコンテンツ情報の各種情報に基づきコンテンツＤＢ６０１から抽出し、配信可能な状態とする。また、配信コンテンツ生成部６０５は、レコメンドエンジン部６０６によりレコメンドされたコンテンツ情報と関連性のある広告／関連情報を広告／関連情報ＤＢ６０２から抽出し、１つのコンテンツの形態として配信可能なデータとして生成する。
【００４７】
レコメンドエンジン部６０６は、リモコン装置３００から利用者情報を取得する。そして、取得した利用者情報に該当するユーザプロファイルを、ユーザプロファイルＤＢ６０３に記憶されているユーザプロファイル中から抽出する。その後、抽出したユーザプロファイルに基づいて、利用者毎にレコメンドしたコンテンツ情報と関連のある広告／関連情報を生成し、リモコン装置３００へ送信する。
【００４８】
ユーザプロファイル収集部６０７は、リモコン装置３００から取得した利用者毎の利用状況からユーザプロファイルに含める情報を収集し、ユーザプロファイルＤＢ６０３に記憶されているユーザプロファイルを更新する。具体的には、操作の履歴と、コンテンツの視聴履歴と、コンテンツの評価履歴と、コメントの発信履歴とを収集し、ユーザプロファイル自体を更新する。
【００４９】
認証課金サーバ７００は、コンテンツの視聴に関連して行う課金処理を行う。ここで、課金処理には、放送を一定期間（例えば、１ヶ月単位）視聴するために発生する課金や、有料放送に対する課金、ＶＯＤに対する課金等を含む。なお、無料のコンテンツや放送であるときには、課金を行わなくてもよい。認証課金サーバ７００は、ユーザ認証ＤＢ７０１と、課金ＤＢ７０２と、利用者認証判定部７０３と、課金部７０４とを備えている。
ユーザ認証ＤＢ７０１は、認証されて正規に登録されたユーザ情報を記憶する。
課金ＤＢ７０２は、いずれのコンテンツやサービスに対していくら課金するのかといった課金情報を記憶する。
利用者認証判定部７０３は、利用者の認証を行う。利用者の認証は、リモコン装置により行っているが、課金を行うときには、さらに安全性を高めるために、例えば、パスワードの入力を追加的に要求する。
課金部７０４は、正規に認証された利用者に対して、課金処理を行うと共に、課金処理の結果をコンテンツ配信サーバに送る。
【００５０】
外部サーバ８００は、例えば、外部に設けられた他のサービス等に用いられるサーバである。本実施形態では、ソーシャルネットワークのサーバである例を示しており、外部サーバ８００は、ソーシャルネットワーク外部Ｉ／Ｆ（インタフェース）を備えている。この外部サーバ８００に設けられているソーシャルネットワーク上では、本実施形態のコンテンツ視聴システムで配信されるコンテンツに関してのコメントをアップロードできる環境が設けられている。
【００５１】
次に、本実施形態のコンテンツ視聴システムの動作について、フローチャートに基づいて説明する。
図４は、テレビ受像機１００、及び、ＳＴＢ２００の電源オンと、テレビ画面上での多チャネル放送表示と通常ＥＰＧ表示を示すフローチャートである。
ステップ（以下、Ｓとする）１０１では、テレビ受像機１００とＳＴＢ２００の電源がオンされる。
Ｓ１０２では、ＲＦ信号送受信部１０１が、ＳＴＢ２００に対して多チャンネル放送と通常ＥＰＧ送信の要求を行う。
Ｓ１０３では、ＲＦ信号送受信部２０３が、映像／制御信号送受信部２０１へ多チャンネル放送と通常ＥＰＧ送信の要求信号を伝える。
Ｓ１０４では、映像／制御信号送受信部２０１が、多チャンネル放送と通常ＥＰＧ送信の要求信号をレコメンドサーバ６００に送信する。
Ｓ１０５では、レコメンドエンジン部６０６が、ＥＰＧ情報が存在しているか否かを確認する。ここでは、ＥＰＧ情報ありの場合を説明する。
Ｓ１０６では、配信コンテンツ生成部６０５が、多チャンネル放送と通常ＥＰＧ用のデータ生成を行う。
Ｓ１０７では、フォーマット変換部５０１が、コンテンツのフォーマット変換を行う。
Ｓ１０８では、コンテンツ配信部５０２が、コンテンツ（多チャンネル放送）と通常ＥＰＧ情報の配信を行う。
Ｓ１０９では、映像／制御信号送受信部５０３が、映像信号と制御信号をＳＴＢ２００へ送信する。
Ｓ１１０では、映像／制御信号送受信部２０１が、コンテンツ配信サーバ５００から映像信号と制御信号とを受信する。
Ｓ１１１では、ＲＦ信号送受信部２０３が、ＲＦ信号をテレビ受像機１００へ送信する。
Ｓ１１２では、ＲＦ信号送受信部１０１が、ＲＦ信号受信をＳＴＢ２００から受信する。
Ｓ１１３では、ディスプレイ部１０２が、多チャンネル放送と通常ＥＰＧの表示を行う。
【００５２】
図５は、利用者認証無しのときの、リモコン装置３００の電源オンと、リモコン装置３００の画面上に十字キーと数字キーを表示する動作とを示すフローチャートである。
Ｓ２０１では、不図示の電源スイッチの操作により、リモコン装置３００の電源がオンされる。
Ｓ２０２では、表示操作部３０３が、リモコン装置３００の電源がオンされたときに起動画面を表示する。
Ｓ２０３では、操作履歴収集部３０７ａが、リモコン装置３００の電源オン操作の履歴を収集する。
Ｓ２０４では、利用者認証抽出部３０１が、利用者認証無しであることを確認する。
Ｓ２０５では、表示操作部３０３が、十字キーと数字キーとを表示する。
【００５３】
図６は、リモコン装置３００の画面上での利用者認証の動作を示すフローチャートである。
Ｓ３０１では、表示操作部３０３が、利用者認証開始の表示を行う。
Ｓ３０２では、表示操作部３０３が、利用者認証の操作を受け付ける。
Ｓ３０３では、操作履歴収集部３０７ａが、利用者認証の操作履歴を収集する。
Ｓ３０４では、利用者認証抽出部３０１が、利用者認証ありを確認し、認証を行い、かつ、利用者情報をレコメンドサーバ６００及び認証課金サーバ７００へ送る（利用者認証抽出ステップ、利用者情報送信ステップ）。
Ｓ３０５では、利用者認証判定部７０３が、利用者認証抽出部３０１により認証ＯＫであったことを示す信号を受信し、確認する。
Ｓ３０６では、表示操作部３０３が、利用者名を表示する。
【００５４】
図７は、利用者認証がある場合の、リモコン装置３００の画面上で多チャネル放送の番組が選択されたときの動作を示すフローチャートである。
Ｓ４０１では、表示操作部３０３が、利用者による十字キーあるいは数字キーの利用、又は、タッチパネル機能による直接の選択により、多チャンネル放送のコンテンツ選択を受け付ける（操作ステップ）。
Ｓ４０２では、操作履歴収集部３０７ａが、コンテンツ選択の履歴を収集し、その情報をレコメンドサーバ６００へ送信する（利用状況収集ステップ）。
Ｓ４０３では、レコメンドサーバ６００がコンテンツ選択の履歴に関する情報を受信し、ユーザプロファイル収集部６０７が、多チャンネル放送のコンテンツ名を収集する。
Ｓ４０４では、リモコン信号送信部３０４が、多チャンネル放送のコンテンツ番号をＳＴＢ２００へ送信する（リモコン信号送信ステップ）。
Ｓ４０５では、リモコン信号受信部２０４が、多チャンネル放送のコンテンツ番号を受信する。
Ｓ４０６では、ディスプレイ部１０２が、多チャンネル放送の選択されたコンテンツを表示する。
【００５５】
図８は、利用者認証が無い場合の、リモコン装置３００の画面上で多チャネル放送の番組が選択されたときの動作を示すフローチャートである。
Ｓ５０１では、表示操作部３０３が、利用者による十字キーあるいは数字キーの利用、又は、タッチパネル機能による直接の選択により、多チャンネル放送のコンテンツ選択を受け付ける。
Ｓ５０２では、操作履歴収集部３０７ａが、コンテンツ選択の履歴を収集する。
Ｓ５０３では、リモコン信号送信部３０４が、多チャンネル放送のコンテンツ番号をＳＴＢ２００へ送信する。
Ｓ５０４では、リモコン信号受信部２０４が、多チャンネル放送のコンテンツ番号を受信する。
Ｓ５０５では、ディスプレイ部１０２が、多チャンネル放送の選択されたコンテンツを表示する。
【００５６】
図９は、リモコン装置３００の画面上に利用者毎にレコメンドされたコンテンツ情報と関連のある広告／関連情報（パーソナライズドコンテンツ）を表示する動作を示すフローチャートである。
Ｓ６０１では、表示操作部３０３が、利用者認証開始の表示を行い、利用者認証の操作を受け付ける。
Ｓ６０２では、利用者認証抽出部３０１が、利用者認証ありを確認し、認証を行い、かつ、利用者情報をレコメンドサーバ６００及び認証課金サーバ７００へ送る（利用者認証抽出ステップ、利用者情報送信ステップ）。
Ｓ６０３では、利用者認証判定部７０３が、利用者認証抽出部３０１により認証ＯＫであったことを示す信号を受信し、確認する。
Ｓ６０４では、レコメンドエンジン部６０６が、利用者に対応するレコメンド情報の有無を確認すると共に、レコメンド情報の有無を配信コンテンツ生成部６０５へ伝える。ここでは、レコメンド情報があるものとして説明を行う。
Ｓ６０５では、配信コンテンツ生成部６０５が、パーソナライズドコンテンツ、すなわち、レコメンドされたコンテンツ情報と関連のある広告／関連情報を生成する。具体的には、利用者の嗜好に合う可能性の高いコンテンツを、利用者にお勧めのコンテンツとして複数抽出する。そして、抽出されたコンテンツの概要や放送時間等をまとめて１つのデータ（パーソナライズドコンテンツ）として生成する。
Ｓ６０６では、フォーマット変換部５０１が、コンテンツ情報（パーソナライズドコンテンツ）のフォーマット変換を行う。
Ｓ６０７では、コンテンツ配信部５０２が、コンテンツ情報を配信する。
Ｓ６０８では、映像／制御信号送受信部５０３が、コンテンツ情報を送信する。
Ｓ６０９では、通信部３０２が、コンテンツ情報を受信する（コンテンツ情報受信ステップ）。
Ｓ６１０では、表示操作部３０３が、コンテンツ情報（パーソナライズドコンテンツ）を表示する（表示ステップ）（図３参照）。
【００５７】
図１０は、リモコン装置３００の画面上でのプロモーションビデオ又は関連情報等の番組閲覧の動作を示すフローチャートである。
Ｓ７０１では、表示操作部３０３が、コンテンツプロモーションビデオの選択操作を受け付ける（操作ステップ）。
Ｓ７０２では、操作履歴収集部３０７ａが、コンテンツプロモーションビデオの選択履歴を収集し、その情報をレコメンドサーバ６００へ送信する（利用状況収集ステップ）。
Ｓ７０３では、視聴履歴収集部３０７ｂが、コンテンツプロモーションビデオの視聴履歴を収集する。
Ｓ７０４では、ユーザプロファイル収集部６０７が、利用者によって視聴されたコンテンツプロモーションビデオ名を収集する。
Ｓ７０５では、表示操作部３０３が、コンテンツプロモーションビデオを再生する。
【００５８】
図１１は、リモコン装置３００の画面上でのコンテンツの選択と購入、及び、テレビ受像機１００の画面上でのコンテンツ表示の動作を示すフローチャートである。
Ｓ８０１では、表示操作部３０３が、コンテンツの選択操作を受け付ける。
Ｓ８０２では、操作履歴収集部３０７ａが、コンテンツ選択の操作履歴を収集し、その情報をレコメンドサーバ６００へ送信する（利用状況収集ステップ）。
Ｓ８０３では、視聴履歴収集部３０７ｂが、コンテンツの視聴履歴を収集し、その情報をレコメンドサーバ６００へ送信する（利用状況収集ステップ）。
Ｓ８０４では、課金部７０４が、コンテンツ視聴に対する課金処理を行い、課金が適正に実施できたかを確認する。ここでは、課金ＯＫであったとする。
Ｓ８０５では、ユーザプロファイル収集部６０７が、利用者により視聴されたコンテンツ名を収集する。
Ｓ８０６では、レコメンドエンジン部６０６が、利用者に対応するレコメンド情報の有無を確認すると共に、レコメンド情報の有無を配信コンテンツ生成部６０５へ伝える。ここでは、レコメンド情報があるとして説明を行う。
Ｓ８０７では、配信コンテンツ生成部６０５が、選択されたコンテンツを配信用に生成する。
Ｓ８０８では、フォーマット変換部５０１が、コンテンツのフォーマットを変換する。
Ｓ８０９では、コンテンツ配信部５０２が、コンテンツを配信する。
Ｓ８１０では、映像／制御信号送受信部５０３が、映像信号と制御信号とを送信する。
Ｓ８１１では、映像／制御信号送受信部２０１が、映像信号と制御信号とを受信する。
Ｓ８１２では、ＲＦ信号送受信部２０３が、ＲＦ信号を送信する。
Ｓ８１３では、ＲＦ信号送受信部１０１が、ＲＦ信号を受信する。
Ｓ８１４では、ディスプレイ部１０２が、利用者により選択されたコンテンツを表示する。
【００５９】
図１２は、リモコン装置３００の画面上での番組評価と投票の動作を示すフローチャートである。
Ｓ９０１では、表示操作部３０３が、コンテンツの評価操作を受け付ける。
Ｓ９０２では、操作履歴収集部３０７ａが、コンテンツ評価の操作履歴を収集し、その情報をレコメンドサーバ６００へ送信する（利用状況収集ステップ）。
Ｓ９０３では、コンテンツ評価投票部３０５が、コンテンツ評価の結果をレコメンドサーバ６００へ投票する。
Ｓ９０４では、コンテンツ評価投票履歴収集部３０７ｃが、コンテンツ評価履歴を収集し、その情報をレコメンドサーバ６００へ送信する（利用状況収集ステップ）。
Ｓ９０５では、ユーザプロファイル収集部６０７が、利用者によるコンテンツ評価を収集する。
【００６０】
図１３は、リモコン装置３００の画面上でのユーザプロファイル更新の動作を示すフローチャートである。
Ｓ１００１では、表示操作部３０３が、ユーザプロファイル手動更新の操作を受け付ける。
Ｓ１００２では、操作履歴収集部３０７ａが、ユーザプロファイル手動更新の操作履歴を収集する。
Ｓ１００３では、ユーザプロファイル収集部６０７が、ユーザプロファイルを収集して更新する。
【００６１】
図１４は、リモコン装置３００の画面上でのソーシャルネットワークによるコメント発信の動作を示すフローチャートである。
Ｓ１１０１では、表示操作部３０３が、ソーシャルネットワークによるコメント発信の操作を受け付ける。
Ｓ１１０２では、操作履歴収集部３０７ａが、ソーシャルネットワークによるコメント発信の操作履歴を収集し、その情報をレコメンドサーバ６００へ送信する（利用状況収集ステップ）。
Ｓ１１０３では、コメント発信部３０６が、ソーシャルネットワークによるコメント発信を行う。
Ｓ１１０４では、コメント発信履歴収集部３０７ｄが、コメント発信の内容を収集し、その情報をレコメンドサーバ６００へ送信する（利用状況収集ステップ）。
Ｓ１１０５では、ユーザプロファイル収集部６０７が、ソーシャルネットワークによるコメントを収集する。
Ｓ１１０６では、ソーシャルネットワーク外部Ｉ／Ｆ８０１が、コメントを受信する。
【００６２】
図１５は、リモコン装置３００の画面上での多チャネル放送の番組録画予約の動作を示すフローチャートである。
Ｓ１２０１では、表示操作部３０３が、リモコン装置３００画面上での多チャンネル放送のコンテンツ録画予約の操作を受け付ける。
Ｓ１２０２では、操作履歴収集部３０７ａが、コンテンツ録画予約の操作履歴を収集し、その情報をレコメンドサーバ６００へ送信する（利用状況収集ステップ）。
Ｓ１２０３では、ユーザプロファイル収集部６０７が、録画予約されたコンテンツを収集する。
Ｓ１２０４では、リモコン信号送信部３０４が、録画予約されたコンテンツ番号を送信する。
Ｓ１２０５では、リモコン信号受信部２０４が、録画予約のコンテンツ番号を受信する。
Ｓ１２０６では、コンテンツ録画部２０２が、コンテンツの録画予約を行う。
【００６３】
以上説明したように、本実施形態によれば、リモコン装置３００は、利用者認証抽出部３０１により利用者を特定し、かつ、利用者の利用状況をレコメンドサーバ６００へ送る。そして、レコメンドサーバ６００から利用者毎にレコメンドされたコンテンツ情報を取得して表示する。したがって、利用者の嗜好に適合する可能性の高いコンテンツを利用者に対して提示することができる。よって、利用者が所望のコンテンツを容易に選択できる。
また、利用状況収集部３０７は、操作履歴と、視聴履歴と、評価投票履歴と、コメント発信履歴とのいずれかの履歴を収集し、レコメンドサーバ６００に送るので、利用者の嗜好を反映したレコメンデーションを行える。
【００６４】
なお、リモコン装置の処理をコンピュータ読み取り可能な記録媒体に記録し、この記録媒体に記録されたプログラムをリモコン装置に読み込ませ、実行することによって本発明のリモコン装置、コンテンツ視聴システム、リモコン装置の制御方法を実現することができる。ここでいうコンピュータシステムとは、ＯＳや周辺装置等のハードウェアを含む。
【００６５】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６６】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００６７】
以上、この発明の実施形態につき、図面を参照して詳述してきたが、具体的な構成はこの実施形態に限られるものではなく、この発明の要旨を逸脱しない範囲の設計等も含まれる。
【００６８】
（変形形態）
（１）本実施形態において、利用者の認証を指紋認証により行う例を挙げて説明したが、これに限らず、例えば、虹彩認証や静脈認証、声紋、顔形、筆跡等、他の生体認証技術を用いてもよい。また、生体認証に限らず、パスワード等を利用してもよいし、利用者が持ち歩いている個人の携帯電話端末とリモコン装置とを赤外線通信やBluetooth（登録商標）等の近距離通信やFelica（登録商標）を用いて半自動的に認証を行ってもよい。
【００６９】
（２）本実施形態において、通信部３０２は、無線通信回線を介して外部と通信する例を挙げて説明した。これに限らず、例えば、ＳＴＢやテレビ受像機を介して外部と通信するようにしてもよい。このようにすれば、リモコン装置の通信部を簡易な形態とすることができる。
【００７０】
（３）本実施形態において、リモコン装置３００は、ＳＴＢ２００に対してリモコン信号を送信して、ＳＴＢ２００がコンテンツを受信する形態を示した。これに限らず、例えば、リモコン装置がテレビ受像機に対してリモコン信号を送信して、テレビ受像機がコンテンツを受信する形態であってもよい。
【００７１】
（４）本実施形態において、表示操作部３０３は、タッチパネル機能を備えた表示装置である例を挙げて説明した。これに限らず、例えば、表示部と操作部を独立して備えるリモコン装置であってもよい。
【００７２】
（５）本実施形態において、リモコン装置３００は、無線基地局４００を介して外部と通信を行う例を説明した。これに限らず、例えば、リモコン装置に無線ＬＡＮ機能を設けて、無線ＬＡＮを介して外部と通信を行ってもよい。この場合、利用者の宅内に設けられた無線ＬＡＮルータをテレビ受像機やＳＴＢと共用してもよい。
【００７３】
（６）本実施形態において、コンテンツ情報は、利用者に関連が高そうな情報や、利用者が関心を持ちそうな情報を選択して勧めるための情報としてレコメンドされた情報である例を説明した。これに限らず、例えば、利用者に応じて生成するコンテンツ情報は、利用者の嗜好のみならず、例えば、利用者の年齢等の他の要素を考慮して利用者にとって使いやすく生成された情報としてもよい。例えば、利用者が高齢者であるときには、文字を大きくしたり、選択肢を少なくして操作を簡単に行えるように配慮したりしてもよい。また、利用者が小学生の子供である場合には、学年に応じて表示する漢字を選択したり、ふりがなを付したりしてもよい。
また、上述したデモグラフィック属性（性別／年齢／年代／血液型／職業）の他に、サイコグラフィック属性（ライフスタイル／パーソナリティ／価値観）等を考慮したものであってもよい。
さらに、利用者に応じて生成するコンテンツ情報としては、コンテンツ自体に関する情報に限らず、利用者に関連の高い広告や各種情報を含んでもよい。
さらにまた、利用者に応じて生成するコンテンツ情報には、有料コンテンツの決済の許可又は不許可を表す決裁権情報を付加したり、視聴年齢制限を設けたコンテンツ視聴の許可又は不許可を表す年齢制限解除情報を付加したりしてもよい。これより、子供に決裁権限を与えないようにしたり、一定の年齢に達していない子供による成人向けコンテンツの視聴を防止したりできる。
【００７４】
なお、第１実施形態及び変形形態は、適宜組み合わせて用いることもできるが、詳細な説明は省略する。
【符号の説明】
【００７５】
１００  テレビ受像機
１０１  ＲＦ信号送受信部
１０２  ディスプレイ部
２０１  制御信号送受信部
２０２  コンテンツ録画部
２０３  ＲＦ信号送受信部
２０４  リモコン信号受信部
３００  リモコン装置
３０１  利用者認証抽出部
３０１ａ  読取り部
３０２  通信部
３０３  表示操作部
３０４  リモコン信号送信部
３０５  コンテンツ評価投票部
３０６  コメント発信部
３０７  利用状況収集部
３０７ａ  操作履歴収集部
３０７ｂ  視聴履歴収集部
３０７ｃ  コンテンツ評価投票履歴収集部
３０７ｄ  コメント発信履歴収集部
４００  無線基地局
５００  コンテンツ配信サーバ
５０１  フォーマット変換部
５０２  コンテンツ配信部
５０３  制御信号送受信部
６００  レコメンドサーバ
６０１  コンテンツＤＢ
６０２  広告／関連情報ＤＢ
６０３  ユーザプロファイルＤＢ
６０４  ＥＰＧＤＢ
６０５  配信コンテンツ生成部
６０６  レコメンドエンジン部
６０７  ユーザプロファイル収集部
７００  認証課金サーバ
７０１  ユーザ認証ＤＢ
７０２  課金ＤＢ
７０３  利用者認証判定部
７０４  課金部
８００  外部サーバ
８０１  ソーシャルネットワーク外部Ｉ／Ｆ
【図１】
0005468858.tif 000002
【図２】
0005468858.tif 000003
【図３】
0005468858.tif 000004
【図４】
0005468858.tif 000005
【図５】
0005468858.tif 000006
【図６】
0005468858.tif 000007
【図７】
0005468858.tif 000008
【図８】
0005468858.tif 000009
【図９】
0005468858.tif 000010
【図１０】
0005468858.tif 000011
【図１１】
0005468858.tif 000012
【図１２】
0005468858.tif 000013
【図１３】
0005468858.tif 000014
【図１４】
0005468858.tif 000015
【図１５】
0005468858.tif 000016